(57)【特許請求の範囲】
【請求項１】
情報システムのホストコンピュータで撮影／読取情報に設定されている撮影部位もしくは撮影方向の名称とは別の名称が読取条件に設定されており、情報システムから撮影あるいは読取に関する撮影／読取情報を受けて放射線画像の読取を実行する医用画像読取装置であって、
情報システムからの前記撮影／読取情報をもとにして、あらかじめ設定されている複数の読取条件の中から適した条件を設定し、この設定された条件で読取を行う際に、医用画像読取装置側固有の読取条件に使用されている名称を表示部に表示せず、前記情報システムから受信した撮影／読取情報に含まれる名称を表示部に表示する制御部を備える、
ことを特徴とする医用画像読取装置。
【請求項２】
前記表示部に表示される名称は、撮影部位の名称である、
ことを特徴とする請求項１記載の医用画像読取装置。
【請求項３】
前記表示部に表示される名称は、撮影方向の名称である、
ことを特徴とする請求項１もしくは請求項２のいずれかに記載の医用画像読取装置。
【請求項４】
前記表示部に表示される名称は、撮影サイズの名称である、
ことを特徴とする請求項１、請求項２もしくは請求項３のいずれか一項に記載の医用画像読取装置。
【請求項５】
撮影部位もしくは撮影方向の名称を含む撮影／読取情報を撮影オーダ情報として発行するホストコンピュータと、
前記ホストコンピュータの撮影／読取情報に設定されている名称とは別の名称が読取条件に設定されており、情報ホストコンピュータから撮影／読取情報を含む前記撮影オーダー情報を受けて放射線画像の読取を実行する医用画像読取装置と、
が接続された情報システムの中で使用される医用画像読取装置であって、
前記ホストコンピュータからの前記撮影／読取情報を解析し、被写体を撮影した際の撮影部位もしくは撮影方向のデータを抽出し、該医用画像読取装置側にあらかじめ設定されている複数の画像処理条件や読取条件の中から適した条件を設定すると共に、
前記ホストコンピュータからの前記撮影／読取情報に含まれる撮影部位もしくは撮影方向の名称が、該医用画像読取装置に設定されている読取条件の名称と一致もしくは包含または共通文字する場合には、該一致もしくは包含または共通文字を有するホストコンピュータ側での名称を、該医用画像読取装置側の表示部に表示する、
ことを特徴とする請求項１〜請求項４のいずれか一項に記載の医用画像読取装置。
【発明の詳細な説明】
【０００１】
【発明の属する技術分野】
本発明は医用画像の読み取りを実行する医用画像読取装置に関する。
【０００２】
【従来の技術】
近年、放射線画像などの医用画像を直接デジタル画像として撮影できる装置が開発されている。たとえば、被写体に照射された放射線量を検出し、その検出量に対応して形成される放射線画像を電気信号として得る装置としては、輝尽性蛍光体を用いたディテクタを用いる方法が特開昭55-12429号公報、特開昭63-189853号公報など、多数開示されている。
【０００３】
このような場合、放射線画像撮影装置で、シ−ト状の基板に輝尽性蛍光体を塗布、あるいは蒸着等によって固着したディテクタに、いったん被写体を透過した放射線を照射して輝尽性蛍光体に放射線を吸収させる。
【０００４】
その後、医用画像読取装置で、この輝尽性蛍光体を光または熱エネルギ−で励起することにより、この輝尽性蛍光体が上記吸収によって蓄積している放射線エネルギ−を蛍光として放射させ、この蛍光を光電変換して画像信号を得るようにしている。
【０００５】
一方、照射された放射線の強度に応じた電荷を光導電層に生成し、生成された電荷を二次元的に配列された複数のコンデンサに蓄積し、それら蓄積された電荷を取り出すことにより得られる医用画像読取装置が提案されている。
【０００６】
このような医用画像読取装置では、フラットパネルディテクタ（ＦＰＤ）と呼ばれるものを使用している。この種のＦＰＤは、特開平９−９００４８号公報に記載されているように、蛍光をフォトダイオードで検知したり、ＣＣＤやＣ−ＭＯＳセンサで検出することができる。また、特開平６−３４２０９８号公報にも同様なＦＰＤが記載されている。
【０００７】
これらの装置では、放射線画像を診断に適した階調で表現するために、医師が注目する部分（関心領域）について見やすくなるよう、前記のような装置で得られた画像を自動的に階調変換することが望ましい。
【０００８】
このような自動階調変換を行うために、画像デ−タの統計的特徴（デ−タの最大値・最小値・ヒストグラム等）から処理条件を決定し、画像全体に対して画像処理を施すことが行われる。
【０００９】
また、細部の構造を見やすくするため、エッジ強調処理を行ったり、被写体の信号領域を狭めて、濃度の高い部分と低い部分を同時に観察しやすくするためのダイナミックレンジ圧縮処理等も行われる。
【００１０】
しかし、診断に利用する放射線撮影では、撮影対象となる部位が頭部から四肢まで多岐に渡り、それぞれによって医師が注目する領域も異なるため、診断に最適な画像を得るための画像処理条件は、撮影部位毎に異なるものとなる。また、同様に、撮影方向によっても、処理条件は異なるものとなる。
【００１１】
そのため、従来これらの装置では、画像処理を行う前に、最適な処理条件を選択するため、被写体の撮影部位、方向等を入力する必要がある。
一部の病院では、病院情報システム（ＨＩＳ）や放射線科情報システム（ＲＩＳ）を備えているところもあり、放射線撮影のオーダー情報から、直接撮影部位情報を取得できるため、改めて撮影装置に被写体の撮影部位や方向などの入力の操作無しで、最適な処理条件を選択可能である。なお、一般に撮影部位や撮影方向は、１００種類以上になる。
【００１２】
このほか、医用画像としては、超音波を用いた診断画像やＭＲＩイメージングによる画像などが存在している。
【００１３】
【発明が解決しようとする課題】
しかし、以上のＨＩＳやＲＩＳを備えたシステムでは、放射線画像や診断に限られず超音波診断装置においても、システムのホストコンピュータが出力するオーダ情報に含まれる撮影部位や撮影方向の名称と、医用画像読取装置が自ら有していて表示部に表示する撮影部位や撮影方向の名称とが、異なっていることがある。これは、機器の製造メーカーの違いや設定の違いなど、各種の原因による。
【００１４】
また、いずれか一方に合わせるとすると、大変な手間を必要とすることになる。さらに、新たな機器を導入する場合に、毎回その確認や設定の作業が必要になるという不具合も発生する。
【００１５】
本発明は以上のような課題に鑑みてなされたものであって、適した条件を自動設定できる医用画像読取装置を実現することを目的とする。
本発明は、情報システムから撮影あるいは読取に関する撮影／読取情報を受けて放射線画像の読取を実行する医用画像読取装置であって、情報システムからの前記撮影／読取情報をもとにして、あらかじめ設定されている複数の読取条件の中から適した条件を自動設定できることが望ましい。さらに、その自動設定した条件に従って読取を行う際に、表示を一致させるための設定作業をすることなく、情報システムで使用する名称と装置側で使用する名称とを一致させることが望ましい。
【００１６】
すなわち、上記課題を解決する本発明は以下に示すものである。
（１）請求項１記載の医用画像読取装置の発明は、情報システムのホストコンピュータで撮影／読取情報に設定されている撮影部位もしくは撮影方向の名称とは別の名称が読取条件に設定されており、情報システムから撮影あるいは読取に関する撮影／読取情報を受けて放射線画像の読取を実行する医用画像読取装置であって、情報システムからの前記撮影／読取情報をもとにして、あらかじめ設定されている複数の読取条件の中から適した条件を設定することを特徴とする。
【００１７】
この医用画像読取装置では、情報システムからの撮影／読取情報をもとにして、複数の読取条件の中から適した条件を自動的に設定して読み取りを行うようにしている。
【００１８】
さらに、設定した条件に従って読取を行う際に、医用画像読取装置側固有の読取条件に使用されている名称を表示部に表示せず、情報システムから受信した撮影／読取情報に含まれる名称を表示部に表示する、ことを特徴とする。
【００１９】
この医用画像読取装置では、情報システムからの撮影／読取情報をもとにして複数の読取条件の中から適した条件を自動設定して読取を行う際に、医用画像読取装置側固有の読取条件に使用されている名称ではなく、情報システムから受信した撮影／読取情報に含まれる名称を表示部に表示するようにしている。
【００２０】
この結果、情報システムからの前記撮影／読取情報をもとにして、あらかじめ設定されている複数の読取条件の中から適した条件を自動設定して読取を行う際に、表示を一致させるための設定作業をすることなく、情報システムで使用する名称と装置側で使用する名称とを一致させることが可能になる。
【００２１】
（２）請求項２記載の医用画像読取装置の発明は、上記（１）に加え、前記表示部に表示される名称は、撮影部位の名称である、ことを特徴とする。
この医用画像読取装置では、情報システムからの撮影／読取情報をもとにして複数の読取条件の中から適した条件を自動設定して読取を行う際に、医用画像読取装置側固有の読取条件に使用されている撮影部位の名称ではなく、情報システムから受信した撮影／読取情報に含まれる撮影部位の名称を表示部に表示するようにしている。
【００２２】
この結果、情報システムからの前記撮影／読取情報をもとにして、あらかじめ設定されている複数の読取条件の中から適した条件を自動設定して読取を行う際に、表示を一致させるための設定作業をすることなく、情報システムで使用する名称と装置側で使用する名称とを一致させることが可能になる。
【００２３】
（３）請求項３記載の医用画像読取装置の発明は、上記（１）または（２）に加え、前記表示部に表示される名称は、撮影方向の名称である、ことを特徴とする。
【００２４】
この医用画像読取装置では、情報システムからの撮影／読取情報をもとにして複数の読取条件の中から適した条件を自動設定して読取を行う際に、医用画像読取装置側固有の読取条件に使用されている撮影方向の名称，撮影部位と撮影方向の名称ではなく、情報システムから受信した撮影／読取情報に含まれる撮影方向の名称，撮影部位と撮影方向の名称を表示部に表示するようにしている。
【００２５】
この結果、情報システムからの前記撮影／読取情報をもとにして、あらかじめ設定されている複数の読取条件の中から適した条件を自動設定して読取を行う際に、表示を一致させるための設定作業をすることなく、情報システムで使用する名称と装置側で使用する名称とを一致させることが可能になる。
【００２６】
（４）請求項４記載の医用画像読取装置の発明は、上記（１）、（２）もしくは（３）に加え、前記表示部に表示される名称は、撮影サイズの名称である、ことを特徴とする。
【００２７】
この医用画像読取装置では、情報システムからの撮影／読取情報をもとにして複数の読取条件の中から適した条件を自動設定して読取を行う際に、医用画像読取装置側固有の読取条件に使用されている撮影方向の名称，撮影部位と撮影方向の名称ではなく、情報システムから受信した撮影／読取情報に含まれる撮影サイズの名称，撮影方向の名称，撮影部位と撮影方向の名称を表示部に表示するようにしている。
【００２８】
この結果、情報システムからの前記撮影／読取情報をもとにして、あらかじめ設定されている複数の読取条件の中から適した条件を自動設定して読取を行う際に、表示を一致させるための設定作業をすることなく、情報システムで使用する名称と装置側で使用する名称とを一致させることが可能になる。
【００２９】
（５）請求項５記載の発明は、上記（１）〜（４）において、撮影部位もしくは撮影方向の名称を含む撮影／読取情報を撮影オーダ情報として発行するホストコンピュータと、前記ホストコンピュータの撮影／読取情報に設定されている名称とは別の名称が読取条件に設定されており、情報ホストコンピュータから撮影／読取情報を含む前記撮影オーダー情報を受けて放射線画像の読取を実行する医用画像読取装置と、が接続された情報システムの中で使用される医用画像読取装置であって、前記ホストコンピュータからの前記撮影／読取情報を解析し、被写体を撮影した際の撮影部位もしくは撮影方向のデータを抽出し、該医用画像読取装置側にあらかじめ設定されている複数の画像処理条件や読取条件の中から適した条件を設定すると共に、前記ホストコンピュータからの前記撮影／読取情報に含まれる撮影部位もしくは撮影方向の名称が、該医用画像読取装置に設定されている読取条件の名称と一致もしくは包含または共通文字する場合には、該一致もしくは包含または共通文字を有するホストコンピュータ側での名称を、該医用画像読取装置側の表示部に表示する、ことを特徴とする。
【００３０】
この結果、情報システムのホストコンピュータからの撮影／読取情報をもとにして、医用画像読取装置であらかじめ設定されている複数の読取条件の中から適した条件を設定して読取を行う際に、表示を一致させるための設定作業をすることなく、情報システムで使用する名称と装置側で使用する名称とを一致させることが可能になる。
【００３１】
【発明の実施の形態】
まず、本発明の実施の形態例について図を用いて詳細に説明する。まず、本実施の形態例の医用画像読取装置の構成について説明する。
【００３２】
医用画像読取装置の構成：
図１は、情報システムから撮影あるいは読取に関する撮影／読取情報を受けて放射線画像の読取を実行する医用画像読取装置と、その周囲の情報システムの全体構成を示すシステム構成図である。
【００３３】
すなわち、図１は、病院内における医用画像読取装置と他の装置（端末）との接続の様子を模式的に示したものであり、医用画像読取装置２００はネットワーク１０を介して、病院システムのホストコンピュータ２０、診療や検査の予約・受付などがなされる予約端末３０や、放射線画像の撮影を行う放射線画像撮影装置３００と接続されている。なお、このネットワーク１０はＲＩＳ（放射線科情報システム）やＨＩＳ（病院情報システム）と呼ばれる情報システムのネットワークの場合も含むものとする。
【００３４】
ここで、医用画像読取装置２００は、ホストコンピュータ２０を中心とする情報システムから、撮影あるいは読取に関する撮影／読取情報を受け、放射線画像の読取を実行するものである。
【００３５】
また、読み取られて生成された放射線画像の画像データは画像出力装置４０からハードコピーとして出力される。
この図１に記載されている医用画像読取装置２００について、図２以降を参照して説明する。
【００３６】
図２に示すように、医用画像読取装置２００において、図示されていない放射線発生器や放射線画像撮影装置３００から放射された放射線は、被検体（図示せず）を通して、放射線画像読取部２４０の前面に装着されている撮像パネル２４１に照射される。
【００３７】
ここで、図３により放射線画像読取部２４０に設けられている撮像パネル２４１の構成を説明する。この撮像パネル２４１は所定の剛性を得られるだけの厚みを有する基板を有しており、この基板上には照射された放射線の線量に応じて電気信号を出力する検出素子４１２-(1,1)〜４１２-(m,n)がマトリクス状に２次元配置されている。また、走査線４１５-1〜４１５-mと信号線４１６-1〜４１６-nがたとえば直交するように配設される。
【００３８】
撮像パネル２４１の走査線４１５-1〜４１５-mは、走査駆動部２４４と接続されている。走査駆動部２４４から走査線４１５-1〜４１５-mのうちの１つ走査線４１５-p（pは1〜mのいずれかの値）に読出信号ＲＳが供給されると、この走査線４１５-pに接続された検出素子から照射された放射線の線量に応じた電気信号ＳＶ-1〜ＳＶ-nが出力されて、信号線４１６-1〜４１６-nを介して画像データ生成回路２４６に供給される。
【００３９】
この検出素子４１２は、照射された放射線の線量に応じた電気信号を出力するものであればよい。たとえば放射線が照射されたときに電子−正孔対が生成されて抵抗値が変化する光導電層を用いて検出素子が形成されている場合、この光導電層で生成された放射線量に応じた量の電荷が電荷蓄積コンデンサに蓄えられて、この電荷蓄積コンデンサに蓄えられた電荷が電気信号として画像データ生成回路２４６に供給される。なお、光導電層としては暗抵抗値が高いものが望ましく、アモルファスセレン、酸化鉛、硫化カドミウム、ヨウ化第２水銀、または光導電性を示す有機材料（Ｘ線吸収コンパウンドが添加された光伝導性ポリマを含む）などが用いられ、特にアモルファスセレンが望ましい。
【００４０】
また、検出素子４１２が、たとえば放射線が照射されることにより蛍光を生ずるシンチレータ等を用いて形成されている場合、フォトダイオードでこのシンチレータで生じた蛍光強度に基づく電気信号を生成して画像データ生成回路２４６に供給するものとしてもよい。
【００４１】
画像データ生成回路２４６では、後述する読取制御回路２４８からの出力制御信号ＳＣに基づいて供給された電気信号ＳＶを順次選択して、ディジタルの画像データＤＴに変換する。この画像データＤＴは読取制御回路２４８に供給される。
【００４２】
読取制御回路２４８はコントローラ２１０と接続されており、コントローラ２１０から供給された制御信号ＣＴＤに基づいて走査制御信号ＲＣや出力制御信号ＳＣを生成する。この走査制御信号ＲＣが走査駆動部２４４に供給されて、走査制御信号ＲＣに基づき走査線４１５-1〜４１５-mに対しての読出信号ＲＳの供給が行われる。
【００４３】
また、出力制御信号ＳＣは画像データ生成回路２４６に供給される。この読取制御回路２４８からの走査制御信号ＲＣや出力制御信号ＳＣによって、たとえば撮像パネル４１が上述のように（ｍ×ｎ）個の検出素子４１２で構成されている場合には、検出素子４１２-(1,1)〜４１２-(m,n)からの電気信号ＳＶに基づくデータをデータＤＰ(1,1)〜ＤＰ(m,n)とすると、データＤＰ(1,1)、ＤＰ(1,2)、……ＤＰ（1,n)、ＤＰ(2,1)、……、ＤＰ(m,n)の順として画像データＤＴが生成されて、この画像データＤＴが画像データ生成回路２４６から読取制御回路２４８に供給される。また、読取制御回路２４８では、この画像データＤＴをコントローラ２１０に送出する処理も行う。
【００４４】
放射線画像読取部２４０で得られた画像データＤＴは、読取制御回路２４８を介してコントローラ２１０に供給される。なお、放射線画像読取部２４０で得られた画像データをコントローラ２１０に供給する際に対数変換処理を行った画像データを供給すれば、コントローラ２１０における画像データの処理を簡単とすることができる。
【００４５】
また、図２において、コントローラ２１０の動作を制御するためのＣＰＵ２１１には、システムバス２１２と画像バス２１３が接続されると共に入力インタフェース２１７が接続される。このコントローラ２１０の動作を制御するためのＣＰＵ２１１は、メモリ２１４に記憶された制御プログラムに基づいて動作が制御される。
【００４６】
システムバス２１２と画像バス２１３には、表示制御部２１５、フレームメモリ制御部２１６、接続インタフェース２１８、読取制御部２１９、ディスク制御部２２０等が接続されており、システムバス２１２を利用しＣＰＵ２１１によって各部の動作が制御されると共に、画像バス２１３を介して各部間での画像データの転送等が行われる。
【００４７】
フレームメモリ制御部２１６には、フレームメモリ２２１が接続されており、放射線画像読取部２４０で得られた画像データが読取制御部２１９やフレームメモリ制御部２１６を介して記憶される。フレームメモリ２２１に記憶された画像データは読み出されて表示制御部２１５やディスク制御部２２０に供給される。また、フレームメモリ２２１には、放射線画像読取部２４０から供給された画像データをＣＰＵ２１１で処理してから記憶するものとしてもよい。
【００４８】
表示制御部２１５には、画像表示装置２２２が接続されており画像表示装置２２２の画面上に表示制御部２１５に供給された画像データに基づく放射線撮影画像が表示される。ここで、放射線画像読取部２４０の画素数よりも画像表示装置２２２の表示画素数が少ない場合には、画像データを間引きして読み出すことにより、画面上に撮影画像全体を表示させることができる。また、画像表示装置２２２の表示画素数分に相当する領域の画像データを読み出すものとすれば、所望の位置の撮影画像を詳細に表示させることができる。
【００４９】
フレームメモリ２２１からディスク制御部２２０に画像データが供給される際には、たとえば連続して画像データが読み出されてディスク制御部２２０内のＦＩＦＯメモリに書き込まれ、その後順次ディスク装置２２３に記録される。
【００５０】
さらに、フレームメモリ２２１から読み出された画像データやディスク装置２２３から読み出された画像データを接続インタフェース２１８を介して外部機器（他の医用画像読取装置２００Ｂや２００Ｃ、画像出力装置４０など）に供給することもできる。また、画像データ以外に、各種のデータ、オーダ情報についても、この接続インタフェース２１８から外部機器（他の医用画像読取装置２００Ｂや２００Ｃ、画像出力装置４０など）に供給することができる。
【００５１】
画像処理部２２６では、放射線画像読取部２４０から読取制御部２１９を介して供給された画像データＤＴの照射野認識処理、関心領域設定、正規化処理および階調処理、ならびにこれらの処理の良否判定処理などが行われる。また、周波数強調処理やダイナミックレンジ圧縮処理等を行うものとしてもよい。なお、画像処理部２２６をＣＰＵ２１１が兼ねる構成として、画像処理等を行うこともできる。
【００５２】
入力インタフェース２１７にはタッチパネル等の入力装置２２７が接続される。この入力装置２２７を操作することで、放射線画像の読み取りに関する操作のキー入力が行われる。
【００５３】
また、入力インタフェース２１７にはタッチパネル等の入力部２４９ｂが接続される。この入力装置２４９ｂを操作することでも、放射線画像の読み取りに関する操作のキー入力が行われる。
【００５４】
放射線画像の読取の際には、上述した情報システム（ホストコンピュータ２０）から送られてくる放射線撮影のオーダー情報に含まれる撮影部位情報や撮影方向情報が、表示部２４９ａに表示される。そして、この表示に基づいて、簡単な選択の操作を入力部２４９ｂより行う。
【００５５】
医用画像読取装置の動作：
以下、以上の構成の医用画像読取装置の動作について説明する。
情報システムの中心となっているホストコンピュータ２０は、どの患者のどの部位を何枚撮影するといった撮影／読取情報（患者氏名、撮影部位、撮影方向、撮影枚数、画像処理パラメータなど）を保持している。
【００５６】
そして、医用画像読取装置２００で放射線画像の読取を実行する際には、ホストコンピュータ２０がネットワーク１０を介して、上述した撮影／読取情報を医用画像読取装置２００に対して送信する。
【００５７】
医用画像読取装置２００では、接続インタフェース２１８から撮影／読取情報を取り込み、ＣＰＵ２１１が解析を行う。
そして、ＣＰＵ２１１は、撮影／読取情報を解析し、被写体を撮影した際の撮影部位や撮影方向のデータ（部位名称）を抽出し、あらかじめ設定されている複数の画像処理条件や読取条件の中から適した条件を自動設定する。
【００５８】
ここで、「自動設定」とは、あらかじめ設定されている複数の画像処理条件や読み取り条件の中から適した条件を選択することであり、具体的には以下に説明するようにして行う。
【００５９】
すなわち、この自動設定を実行するときには、まず、情報システム（ホストコンピュータ２０）から送られてくる撮影情報／読取情報と、医用画像読取装置２００に設定されている読取条件名称が完全に一致する場合は、その読取条件名称を選択する。
【００６０】
つぎに、完全に一致しないが、情報システム（ホストコンピュータ２０）から送られてくる撮影情報／読取情報が、医用画像読取装置２００に設定されている読取条件名称を包含する場合は、その読取条件名称を選択する。
【００６１】
それでも、一致もしくは包括がみつからない場合には、共通文字が多い読取条件名称を選択し、一致および包含していないことを文字や色等で示すようにする。なお、一致および包含していない場合の選択方法に関しては、共通文字が多い読取条件名称を選択する方法以外にも、変換テーブルを用意する方法や、選択せずにオペレータに設定要求する方法もあり得る。
【００６２】
そして、ＣＰＵ２１１が自動設定した自動設定した読取条件に従って読み取りを行うために、読取制御部２１９は読取制御回路２４８に制御信号ＣＴＤを供給する。
【００６３】
また、ＣＰＵ２１１が自動設定した自動設定した読取条件に従って読み取りを行うことを明示するため、表示制御部２１５が情報システムから受信した撮影／読取情報に含まれる撮影部位や撮影方向の名称（部位名称）を表示部２４９ａに対して表示する。
【００６４】
すなわち、ホストコンピュータ２０からの撮影／読取情報を受けた場合には、医用画像読取装置２００側の固有の読取条件に使用されている名称を表示部２４９ａに表示しないようにする。
【００６５】
この場合、情報システムからの撮影／読取情報の有無と、撮影／読取情報に含まれている部位名称と、医用画像読取装置に設定されている読取条件名称と、医用画像読取装置での表示との関係は、図４に示すようになる。
【００６６】
たとえば、情報システム（ホストコンピュータ２０）から送られてくる撮影情報／読取情報が、「（１０）右手指骨ＰＡ」であって医用画像読取装置２００に指定されている読取条件名称に「［３０］手指骨」がある場合には包含（包括）しているため、「［３０］手指骨」を選択して読取条件とし、医用画像読取装置２００に「［３０］手指骨」ではなく「（１０）右手指骨ＰＡ」を表示する。
【００６７】
また、たとえば、情報システム（ホストコンピュータ２０）から送られてくる撮影情報／読取情報が、「（１）胸部ＡＰ」であって医用画像読取装置２００に指定されている読取条件名称に「［１］胸部ＡＰ」がない場合には、共通文字で判断あるいは変換テーブルから選択して、「［１］胸部正面」を選択して読取条件とし、医用画像読取装置２００に「［１］胸部正面」ではなく「（１）胸部ＡＰ」を表示する。
【００６８】
この結果、情報システムからの前記撮影／読取情報をもとにして、あらかじめ設定されている複数の読取条件の中から適した条件を自動設定して読取を行う際に、表示を一致させるための設定作業をすることなく、情報システムで使用する名称と装置側で使用する名称とを一致させることが可能になる。
【００６９】
また、以上の説明は、撮影部位や撮影方向についての名称であったが、撮影サイズに関する名称を用いた場合に適用することも可能である。
このため、ＨＩＳやＲＩＳのような情報システムを備えたシステムで、システムのホストコンピュータ１０が出力するオーダ情報に含まれる撮影部位や撮影方向の名称と、医用画像読取装置２００が自ら有していて表示部に表示する撮影部位や撮影方向の名称とが、設定や製造メーカーの理由で異なっている場合であっても、情報システムが使用する名称と異なる名称が医用画像読取装置２００の表示部２４９ａに表示されることがなくなり、オペレータが混乱することもなくなる。また、このように表示を一致させるために、設定の操作が不要になり、さらに、新たな機器を導入する場合に、毎回その確認や設定の作業が必要になることもない。
【００７０】
なお、以上の説明では「部位名称」として情報システムからの撮影部位や撮影方向を合わせて扱ったが、いずれか一方の名称であっても、両方をまとめた名称でも、さらに、両方の名称を同時に扱うようにしてもよい。
【００７１】
【発明の効果】
以上詳細に説明したように本発明では、情報システムからの撮影／読取情報をもとにして複数の読取条件の中から適した条件を、適切な対応をとって自動設定できる。
【００７２】
また、自動設定して読取を行う際に、医用画像読取装置側固有の読取条件に使用されている名称ではなく、情報システムから受信した撮影／読取情報に含まれる名称を表示部に表示できる。
【図面の簡単な説明】
【図１】本実施の形態例の医用画像読取装置のシステム構成を示す構成図である。
【図２】本実施の形態例の医用画像読取装置の構成を示す構成図である。
【図３】本実施の形態例の放射線画像読取部の構成を示す構成図である。
【図４】本実施の形態例の医用画像読取装置において、情報システムから受信した撮影／読取情報に含まれる名称を表示部に表示する様子を示す説明図である。
【符号の説明】
１０ ホストコンピュータ
２０ ネットワーク
３０ 予約端末
４０ 画像出力装置
２００ 医用画像読取装置
３００ 放射線画像撮影装置
【図１】
0003991582.tif 000002
【図２】
0003991582.tif 000003
【図３】
0003991582.tif 000004
【図４】
0003991582.tif 000005